(57)【特許請求の範囲】
【請求項１】
キャビネットの収納室内に引出形単位装置を収納したコントロールセンタにおいて、収納室の底部上に前後方向に突出して設けられ、引出形単位装置の底部に設けられたガイド溝と前後方向移動可能に嵌合するガイドと、ガイドの中央部に設けられた固定部と、引出形単位装置の前面から回転自在に挿入されるとともに、軸受により回転自在に支持されたカム軸と、引出形単位装置側においてカム軸に取り付けられたカムと、引出形単位装置に設けられ、カム軸を圧接してカム軸の回転を規制する板ばね部と、収納室側に設けられた母線と、引出形単位装置側に設けられ、該装置を収納室に接続位置まで挿入した際に母線と接続される接続プラグと、収納室の底部に設けられ、引出形単位装置を収納室に挿入する際にカムを前後方向に案内するとともに、挿入位置において段部がカムの第１の突出部と係止し、カムを回転させることにより断路位置においてカムの第１の突出部を前後方向に係止し、さらにカムを同一方向に回転させることにより接続位置においてカムを後端まで挿入可能にするとともに、さらにカムを同一方向に回転させることにより固定位置においてカムの第２の突出部を固定部に固定可能とするカム案内溝と、引出形単位装置の前面に設けられ、引出形単位装置の操作位置を表示する表示部を備えたことを特徴とするコントロールセンタ。
【請求項２】
キャビネットの収納室内に引出形単位装置を収納したコントロールセンタにおいて、収納室の底部上に前後方向に突出して設けられ、引出形単位装置の底部に設けられたガイド溝と前後方向移動可能に嵌合するガイドと、ガイドの中央部に設けられた固定部と、引出形単位装置の前面から回転自在に挿入された中空のカム軸と、引出形単位装置の前面からカム軸内周に挿入されるとともに、カム軸内周と螺合され、引出形単位装置内において軸受により回転自在に支持されたねじ軸と、引出形単位装置側においてカム軸に取り付けられたカムと、引出形単位装置に設けられ、カム軸を圧接してカム軸の回転を規制する板ばね部と、収納室側に設けられた母線と、引出形単位装置側に設けられ、該装置を収納室内に接続位置まで挿入した際に母線と接続される接続プラグと、収納室の底部に設けられ、引出形単位装置を収納室に挿入する際にカムを前後方向に案内するとともに、挿入位置において段部がカムの第１の突出部と係止し、カムを回転させることにより断路位置においてカムの第１の突出部を前後方向に係止し、さらにカムを同一方向に回転させることにより接続位置においてカムを後端まで挿入可能にするとともに、さらにカムを同一方向に回転させることにより固定位置においてカムの第２の突出部を固定部に固定可能とするカム案内溝と、引出形単位装置の前面に設けられ、引出形単位装置の操作位置を表示する表示部を備え、ねじ軸の回転によりカムを固定部に係止させるようにしたことを特徴とするコントロールセンタ。
【発明の詳細な説明】
【０００１】
【発明の属する技術分野】
この発明は、複数個の引出形単位装置がキャビネットに多段に積み重ねられて収納されたコントロールセンタに関するものである。
【０００２】
【従来の技術】
図１２は従来のコントロールセンタのキャビネット１及び引出形単位装置（以下ユニットと称する。）２の斜視図を示し、キャビネット１には仕切板３に仕切られて収納室４が多段に設けられ、各収納室４にはユニット２がそれぞれ収納される。５は各収納室４の扉、１１ａは後述するねじ軸１１のノブである。
【０００３】
図１３（ａ），（ｂ）は収納室４の横断平面図及びユニット２の横断平面図を示し、仕切板３にはカム案内溝６，７が設けられるとともに、前後方向に突出したガイド８が設けられ、ガイド８の中央には切り込みにより固定部９が形成される。また、収納室４の背面側には母線１０が設けられている。一方、ユニット２のケース２ａには前方からノブ１１ａを有するねじ軸１１が回転自在に挿通され、カム１２，１３が螺合される。１４はケース２ａの底部２ｂを切り起こして形成された軸受であり、ねじ軸１１を回転自在に支持する。又、ケース２ａの底部２ｂにはガイド８と前後方向移動可能に嵌合するガイド溝１５が設けられ、背面側には母線１０と嵌合して電気的接続を行う接続プラグ１６が設けられている。又、ユニット２の底部２ｂにおけるカム１２，１３に対応する部分には孔１７，１８が設けられており、カム１２，１３は底部２ｂより下方へ突出可能となっている。又、１９は軸受１４を切り起こした際に底部２ｂに形成された孔であり、２０は底部２ｂから下方に突出した下方突出部である。
【０００４】
次に、ユニット２をキャビネット１の収納室４へ着脱する手順を図１４〜図１７により説明する。まず、図１４（ａ），（ｂ）に示すようにカム１２，１３を仕切板３と当接しない位置にしてガイド８にガイド溝１５を嵌合し、カム１２がガイド８に当接するまでユニット２を収納室４へ挿入する。なお、底部２ｂが仕切板３より浮いているのは下方突出部２０があるためである。次に、図１５（ａ），（ｂ）に示すようにねじ軸１１を介してカム１２，１３を反時計方向へ９０度回転させると、カム１２，１３の一部が仕切板３のカム案内溝６，７に入り込み、カム１２とカム案内溝７の係合によりユニット２は前方にも後方にも動かなくなる。この主回路「断」状態で制御回路の試験などを行う。次に、図１６（ａ），（ｂ）に示すようにカム１２のみを反時計方向に９０度回転させると、カム１２はカム案内溝７と係合しなくなり、カム１３はカム案内溝６内を後方向に移動可能であるので、ユニット２をさらに押し込むと、キャビネット１側の母線１０とユニット２側の接続プラグ１６が接続され、接続状態となる。次に、図１７（ａ），（ｂ）に示すようにカム１２を時計方向に１８０度回転させて仕切板３の固定部９と係合させ、ねじ軸１１を例えば時計方向に回転させると、ねじ軸１１と螺合しているカム１２は手前側へ引張られるようになり、カム１２は固定部９に係止され、ユニット２はキャビネット１側に固定される。ユニット２をキャビネット１から引き出すときは上記と逆の手順により行う。
【０００５】
【発明が解決しようとする課題】
上記した従来のコントロールセンタにおいては、カム１２，１３の回転操作は両方同じ角度回転させる場合と、両者を別々に回転させる場合があり、操作が解り難く、取り扱いに熟練を要した。又、ユニット２の固定時にはカム１２が固定部９に固定されるが、その他の場合にはカム１２，１３はねじ軸１１と螺合しているだけであるから回転可能な状態にあり、各操作位置の保持が十分でなく、操作の信頼性に欠けることとなった。さらに、カム１２，１３を回転させるとき、ユニット２内に手を入れる必要があり、ユニット２内の電気部品に触れて感電するおそれがあった。
【０００６】
この発明は上記のような課題を解決するために成されたものであり、引出形単位装置のキャビネットへの着脱に際しての操作が容易となるとともに、操作の信頼性を保つことができ、かつ感電の危険をなくすことができるコントロールセンタを得ることを目的とする。
【０００７】
【課題を解決するための手段】
この発明の請求項１に係るコントロールセンタは、収納室の底部上に前後方向に突出して設けられ、引出形単位装置の底部に設けられたガイド溝と前後方向移動可能に嵌合するガイドと、ガイドの中央部に設けられた固定部と、引出形単位装置の前面から回転自在に挿入されるとともに、軸受により回転自在に支持されたカム軸と、引出形単位装置側においてカム軸に取り付けられたカムと、引出形単位装置に設けられ、カム軸を圧接してカム軸の回転を規制する板ばね部と、収納室側に設けられた母線と、引出形単位装置側に設けられ、該装置を収納室に接続位置まで挿入した際に母線と接続される接続プラグと、収納室の底部に設けられ、引出形単位装置を収納室に挿入する際にカムを前後方向に案内するとともに、挿入位置において段部がカムの第１の突出部と係止し、カムを回転させることにより断路位置においてカムの第１の突出部を前後方向に係止し、さらにカムを同一方向に回転させることにより接続位置においてカムを後端まで挿入可能にするとともに、さらにカムを同一方向に回転させることにより固定位置においてカムの第２の突出部を固定部に固定可能とするカム案内溝と、引出形単位装置の前面に設けられ、引出形単位装置の操作位置を表示する表示部を備えたものである。
【０００８】
この発明の請求項２に係るコントロールセンタは、収納室の底部上に前後方向に突出して設けられ、引出形単位装置の底部に設けられたガイド溝と前後方向移動可能に嵌合するガイドと、ガイドの中央部に設けられた固定部と、引出形単位装置の前面から回転自在に挿入された中空のカム軸と、引出形単位装置の前面からカム軸内周に挿入されるとともに、カム軸内周と螺合され、引出形単位装置内において軸受により回転自在に支持されたねじ軸と、引出形単位装置側においてカム軸に取り付けられたカムと、引出形単位装置に設けられ、カム軸を圧接してカム軸の回転を規制する板ばね部と、収納室側に設けられた母線と、引出形単位装置側に設けられ、該装置を収納室内に接続位置まで挿入した際に母線と接続される接続プラグと、収納室の底部に設けられ、引出形単位装置を収納室に挿入する際にカムを前後方向に案内するとともに、挿入位置において段部がカムの第１の突出部と係止し、カムを回転させることにより断路位置においてカムの第１の突出部を前後方向に係止し、さらにカムを同一方向に回転させることにより接続位置においてカムを後端まで挿入可能にするとともに、さらにカムを同一方向に回転させることにより固定位置においてカムの第２の突出部を固定部に固定可能とするカム案内溝と、引出形単位装置の前面に設けられ、引出形単位装置の操作位置を表示する表示部を備え、ねじ軸の回転によりカムを固定部に係止させるようにしたものである。
【０００９】
【発明の実施の形態】
実施の形態１
以下、この発明の実施の形態を図面とともに説明する。図１（ａ），（ｂ）は実施形態１による収納室４の横断平面図及びユニット２の横断平面図を示し、仕切板３には前端まで伸びたカム案内溝２１が設けられるとともに、従来同様にガイド８及び固定部９が設けられ、収納室４の背面側には母線１０が設けられている。一方、ユニット２のケース２ａには前方からノブ２２ａを有するカム軸２２が回転自在に挿通され、ケース２ａ内においてカム２３が一体的に取り付けられる。又、カム軸２２には六角部２２ｂが形成され、六角部２２ｂの両側には底部２ｂから立設された板ばね部２４が圧接されている。カム軸２２は軸受１４に回転自在に支持されている。２５はカム２３に対応して底部２ｂに設けられた孔であり、また従来同様にガイド溝１５，接続プラグ１６及び下方突出部２０が設けられている。
【００１０】
次に、上記構成のユニット２をキャビネット１の収納室４へ着脱する手順を図２〜図５により説明する。まず、ノブ２２ａによりカム２３を図２（ａ），（ｂ）の位置にセットし、ユニット２のガイド溝１５を仕切板３のガイド８に嵌合し、ユニット２を収納室４へ挿入する。この際、カム２３はカム案内溝２１に沿って後方へ移動し、カム案内溝２１の段部２１ａにカム２３の第１の突出部２３ａを当接して停止する。この位置が挿入（引出）位置である。板ばね部２４は六角部２２ｂに両側から圧接し、ノブ２２ａの回転の際にクリップ感を持たせるとともに、カム軸２２を各操作位置に確実に保持する。ここで、図３（ａ），（ｂ）に示すようにノブ２２ａを６０度時計方向に回転させると、カム２３の第１の突出部２３ａとカム案内溝２１が前後方向に係合し、ユニット２は仕切板３に対して前後方向に動かなくなる。この主回路「断」状態で制御回路の試験などを行う。
【００１１】
次に、ノブ２２ａをさらに時計方向に６０度回転させ、カム２３がカム案内溝２１の段部２１ａと後方向に当接しないようにしてカム２３がカム案内溝２１の後端に当接するまでユニット２を後方へ押し込むと、図４（ａ），（ｂ）に示すようになり、母線１０と接続プラグ１６が嵌合して断路位置から接続位置に変わる。次に、図５（ａ），（ｂ）に示すようにノブ２２ａを時計方向に６０度回転させると、カム２３の第２の突出部２３ｂが固定部９と係合するとともに、カム２３がカム案内溝２１と係合し、ユニット２は前後方向に動かなくなり、固定位置となる。ユニット２を収納室４から引き出すときには上記と逆の手順により行う。
【００１２】
実施形態１においては、カムが１個だけでよく、しかも一方向に操作するだけでユニット２の着脱を行うことができ、着脱操作が容易となった。又、カム軸２２の六角部２２ｂの両側に板ばね部２４を圧接しており、カム軸２２の操作にクリップ感が生じるとともに、各操作位置の保持が容易となり、操作の信頼性を向上させることができる。さらに、カム２３の操作時にユニット２内に手を入れる必要がなく、感電のおそれがなくなった。
【００１３】
実施の形態２
図６は実施形態２によるユニット２の横断平面図を示し、ユニット２のケース２ａには前方からノブ２６ａを有する中空のカム軸２６が回転自在に挿通され、ケース２ａ内においてカム２３が一体的に取り付けられている。又、カム軸２６のカム２３の先端側には六角部２６ｂが形成され、六角部２６ｂの両側には底部２ｂから立設された板ばね部２４が圧接されている。中空のカム軸２６には先端寄りにねじ部２７ａを有するねじ軸２７が挿入され、六角部２６ｂの内周とは螺合している。又、ねじ軸２７の先端は軸受１４に回転自在に支持される。又、ガイド溝１５、接続プラグ１６、孔１９，２５、及び下方突出部２０が実施形態１と同様に設けられている。なお、仕切板３は図１（ａ）に示したものと同様である。
【００１４】
次に、上記構成のユニット２を収納室４へ着脱する手順を図７〜図１０により説明するが、実施形態１とほぼ同様である。即ち、まず、図７（ａ），（ｂ）に示すようにカム２３がカム案内溝２１の段部２１ａに当接するまでユニット２を収納室４へ挿入し、次に図８（ａ），（ｂ）に示すようにノブ２６ａを時計方向に６０度回転させてカム２３の第１の突出部２３ａを案内溝２１に対して前後方向へ係合させ、ユニット２を仕切板３に対して前後方向に動かなくして試験などを行う。
【００１５】
次に、図９（ａ），（ｂ）に示すようにノブ２６ａをさらに時計方向に６０度回転させ、カム２３がカム案内溝２１の後端に当接するまでユニット２を収納室４内に押し込み、接続位置とし、ノブ２６ａをさらに６０度時計方向に回転させると、図１０（ａ），（ｂ）に示すようにカム２３の第２の突出部２３ｂが固定部９と係合するとともに、カム２３がカム案内溝２１と係合する。この状態でユニット２は収納室４内に固定されるが、多少ガタが生じることがある。このような場合にはねじ軸２７を例えば右回転させると、カム軸２６は六角部２６ｂがねじ軸２７と螺合しているので、カム２３が手前側に引張られ、カム２３の第２の突出部２３ｂが固定部９の手前側に当接してユニット２が仕切板３にしっかりと固定される。ユニット２を収納室４から引き出すときは上記と逆の手順により行う。
【００１６】
図１１の２８はケース２ａのノブ２６ａの周囲に取り付けた操作位置表示のための銘板であり、ノブ２６ａの回転位置に対応して、ユニット２の挿入、引出位置、断路、試験位置、接続位置、固定位置などを表示することができる。
【００１７】
実施形態２においても実施形態１と同様の効果を有し、またねじ軸２７の回転によりカム２３を固定部９に係止し、ユニット２を収納室４内にしっかりと固定することができ、さらにノブ２６ａの周囲に銘板２８を設けることにより、ノブ２６ａの回転位置からユニット２の操作位置を容易に知ることができる。
【００１８】
【発明の効果】
以上のようにこの発明の請求項１によれば、一個のカムの操作により引出形単位装置の収納室内への着脱を行うことができ、着脱操作が容易となる。又、カム軸に板ばね部を圧接しており、カム操作にクリップ感を持たせることができるとともに、各操作位置の保持が容易となり、操作の信頼性を高めることができる。さらに、カムはカム軸に一体的に取り付けられており、外部からカム軸を回転させることによりカムを操作することができ、感電の危険をなくすことができる。
【００１９】
又、請求項２によれば、請求項１と同様の効果を有するとともに、カムを収納室内の固定部に係合して引出形単位装置を収納室内に固定した際にガタを生じるような場合には、ねじ軸の回転によりカム軸を介してカムを手前側に引張ることによりカムを固定部に係止し、ガタをなくすことができる。
【図面の簡単な説明】
【図１】  この発明の実施形態１による収納室の横断平面図及びユニットの横断平面図である。
【図２】  実施形態１によるコントロールセンタの挿入，引出位置での要部横断平面図及び要部正面図図である。
【図３】  実施形態１によるコントロールセンタの断路、試験位置での要部横断平面図及び要部正面図である。
【図４】  実施形態１によるコントロールセンタの接続位置での要部横断平面図及び要部正面図である。
【図５】  実施形態１によるコントロールセンタの固定位置での要部横断平面図及び要部正面図である。
【図６】  実施形態２によるユニットの横断平面図である。
【図７】  実施形態２によるコントロールセンタの挿入、引出位置での要部横断平面図及び要部正面図である。
【図８】  実施形態２によるコントロールセンタの断路、試験位置での要部横断平面図及び要部正面図である。
【図９】  実施形態２によるコントロールセンタの接続位置での要部横断平面図及び要部正面図である。
【図１０】  実施形態２によるコントロールセンタの固定位置での要部横断平面図及び要部正面図である。
【図１１】  実施形態２による銘板の正面図である。
【図１２】  従来のコントロールセンタのユニットを取り出した状態の斜視図である。
【図１３】  従来の収納室の横断平面図及びユニットの横断平面図である。
【図１４】  従来のコントロールセンタの挿入，引出位置での要部横断平面図及び要部正面図である。
【図１５】  従来のコントロールセンタの断路、試験位置での要部横断平面図及び要部正面図である。
【図１６】  従来のコントロールセンタの接続位置での要部横断平面図及び要部正面図である。
【図１７】  従来のコントロールセンタの固定位置での要部横断平面図及び要部平面図である。
【符号の説明】
１…キャビネット
２…引出形単位装置（ユニット）
３…仕切板
４…収納室
８…ガイド
９…固定部
１０…母線
１４…軸受
１５…ガイド溝
１６…接続プラグ
１９，２５…孔
２１…カム案内溝
２２，２６…カム軸
２３…カム
２４…板ばね部
２７…ねじ軸。
【図１】
0004135206.tif 000002
【図２】
0004135206.tif 000003
【図３】
0004135206.tif 000004
【図４】
0004135206.tif 000005
【図５】
0004135206.tif 000006
【図６】
0004135206.tif 000007
【図７】
0004135206.tif 000008
【図８】
0004135206.tif 000009
【図９】
0004135206.tif 000010
【図１０】
0004135206.tif 000011
【図１１】
0004135206.tif 000012
【図１２】
0004135206.tif 000013
【図１３】
0004135206.tif 000014
【図１４】
0004135206.tif 000015
【図１５】
0004135206.tif 000016
【図１６】
0004135206.tif 000017
【図１７】
0004135206.tif 000018